(57)【特許請求の範囲】
【請求項１】
複数の加熱部を備え、前記複数の加熱部のうち少なくとも１つは、複数個の火力表示素子と、数値表示素子を有し、前記複数の加熱部のうち残りは、前記複数個の火力表示素子を有するが前記数値表示素子を有していない構成において、複数のキーを同時に操作して開始するテストモードで前記加熱部の所定の数値を表示するときに、前記数値表示素子を有した加熱部では、前記複数個の火力表示素子と前記数値表示素子をともに使用して表示し、前記数値表示素子を有していない加熱部では、前記複数個の火力表示素子を使用して表示し、前記数値表示素子を有した加熱部での前記複数個の火力表示素子による表示方法と、前記数値表示素子を有していない加熱部での前記複数個の火力表示素子による表示方法を、前記所定の数値を２進表示する表示方法にて一致させるようにした多口加熱調理器。
【発明の詳細な説明】
【技術分野】
【０００１】
本発明は、一般キッチンや業務用などに用いられる多口加熱調理器に関するものである。
【背景技術】
【０００２】
近年、この種の加熱調理器、特に、誘導加熱調理器は安全・清潔・高効率という優れた特徴が認知され、普及されている。
【０００３】
これらの加熱調理器の中には、複数個の火力表示素子を備えて、複数ある火力設定のうちで現在選択されている火力設定や、複数ある設定温度のうちで現在選択されている設定温度を表示し、故障／誤使用が発生している旨を、複数個ある火力表示素子のうちの何れかを正常時とは異なる方法で点灯または点滅し表示するものがある（例えば、特許文献１参照）。
【０００４】
また、これらの加熱調理器の中には、複数個の火力表示素子に加えて、数値表示素子を備え、設定した時間が経過すると加熱調理を終了するタイマ機能の残時間や、複数ある設定温度のうちで現在選択されている設定温度を表示するものもある（例えば、特許文献２参照）。
【０００５】
そして、これらの加熱調理器の場合、故障／誤使用が発生している旨を、数値表示素子を使用して、正常時とは異なる方法としてアルファベットと数値の組み合わせで表示するものもある（例えば、特許文献３参照）。
【特許文献１】特開平６−２１５８６１号公報
【特許文献２】特開平１０−０６９９７０号公報
【特許文献３】特開２００２−３１３５５１号公報
【発明の開示】
【発明が解決しようとする課題】
【０００６】
しかしながら、前記従来の構成では、複数の加熱部を備えた多口加熱調理器における表示としては最適なものではない。すなわち、各加熱部において、現在選択されている設定温度や、故障／誤使用が発生している旨を表示する場合、複数個の火力表示素子を使用して行うよりは、数値表示素子を使用して行う方が機器を使用する者は認識し易いので、全ての加熱部に数値表示素子を備えるとコスト高になるからである。
【０００７】
また、現在選択されている設定温度や、故障／誤使用が発生している旨の表示を、数値表示素子を備えた加熱部では数値表示素子のみ使用して行い、数値表示素子を備えていない加熱部では複数個の火力表示素子を使用して行うようにすると、各加熱部間での表示が異なってしまい、表示の整合性に欠けるという課題を有していた。
【０００８】
本発明は、前記従来の課題を解決するもので、数値表示のある加熱部と数値表示のない加熱部をともに備えたものにおいて、各加熱部間の表示の整合性を確保しつつ数値表示のある加熱部の視認性を向上する多口加熱調理器を提供することを目的とする。
【課題を解決するための手段】
【０００９】
前記従来の課題を解決するために、本発明の多口加熱調理器は、複数のキーを同時に操作して開始するテストモードで加熱部の所定の数値を表示するときに、数値表示素子を備えた加熱部では、複数個の火力表示素子と数値表示素子をともに使用して表示し、数値表示素子を備えていない加熱部では、複数個の火力表示素子を使用して表示し、前記数値表示素子を有した加熱部での前記複数個の火力表示素子による表示方法と、前記数値表示素子を有していない加熱部での前記複数個の火力表示素子による表示方法を、前記所定の数値を２進表示する表示方法にて一致させるようにしたものである。
【００１０】
これによって、例えば、各加熱部に、調理を実行した回数を記憶し、通常の操作とは異なる特殊な操作で前記回数を表示するような隠し機能を備えた構成の場合、各加熱部で複数個の火力表示素子にて前記回数を２進表示し、かつその表示方法を一致させて加熱部間の表示の整合性を確保するとともに、数値表示素子を備えた加熱部では、数値表示素子にて前記回数を表示して、視認性を向上することができるものである。
【発明の効果】
【００１１】
本発明の多口加熱調理器は、数値表示のある加熱部と数値表示のない加熱部をともに備えた多口加熱調理器の表示において、加熱部間の表示の整合性を確保しつつ数値表示のある加熱部の視認性を向上することができる。
【発明を実施するための最良の形態】
【００１２】
第１の発明は、複数の加熱部を備え、前記複数の加熱部のうち少なくとも１つは、複数個の火力表示素子と、数値表示素子を有し、前記複数の加熱部のうち残りは、前記複数個の火力表示素子を有するが前記数値表示素子を有していない構成において、複数のキーを同時に操作して開始するテストモードで前記加熱部の所定の数値を表示するときに、前記数値表示素子を有した加熱部では、前記複数個の火力表示素子と前記数値表示素子をともに使用して表示し、前記数値表示素子を有していない加熱部では、前記複数個の火力表示素子を使用して表示し、前記数値表示素子を有した加熱部での前記複数個の火力表示素子による表示方法と、前記数値表示素子を有していない加熱部での前記複数個の火力表示素子による表示方法を、前記所定の数値を２進表示する表示方法にて一致させるようにした多口加熱調理器とするものである。これによって、例えば、各加熱部に、調理を実行した回数を記憶し、通常の操作とは異なる特殊な操作で前記回数を表示するような隠し機能を備えた構成の場合、各加熱部で複数個の火力表示素子にて前記回数を２進表示し、かつその表示方法を一致させて加熱部間の表示の整合性を確保するとともに、数値表示素子を備えた加熱部では、数値表示素子にて前記回数を表示して、視認性を向上することができる。
【００１７】
以下、本発明の実施の形態について、図面を参照しながら説明する。なお、この実施の形態によって本発明が限定されるものではない。
【００１８】
（実施の形態）
図１は、本発明の実施の形態における多口加熱調理器を示している。
【００１９】
図に示すように、本実施の形態における多口加熱調理器は、機器の天面部に、鍋などを加熱するための左加熱部１、右加熱部２、および後加熱部３の３つの加熱部を備えている。そして、左加熱部１の加熱有無や火力変更などを操作／表示するための左操作表示部４を左加熱部１の近傍に、右加熱部２の加熱有無や火力変更などを操作／表示するための右操作表示部５を右加熱部２の近傍に備え、後加熱部３の加熱有無や火力変更などを操作／表示するための後操作表示部６を後加熱部３の正面に備えている。また、電源スイッチ７を機器の天面部の一部に備えている。
【００２０】
図２は、前記左操作表示部４の詳細を示している。まず、左加熱部１は、動作モードとして、調理終了の初期モード、調理の種類を選択する選択モード、調理を実行する調理モードの大きく３つのモードに分かれている。さらに、調理の種類として、火力「保温」〜「７」まで８段階の一定火力で加熱する加熱、１分〜９時間３０分まで設定した時間だけ火力「保温」〜「７」まで８段階の一定火力で加熱するタイマ加熱、サーミスタなどの温度センサで検知する温度に基づき火力を自動調節して鍋内の油を１４０℃〜２００℃で１０℃刻みの設定温度に維持する揚げ物、サーミスタなどの温度センサで検知する温度に基づき鍋内の水が沸騰するのを検知するまで高火力で加熱した後に火力を低下させて所定時間だけ保温する自動湯沸かしの４種類を備えている。
【００２１】
そして、図２に示すように、左表示部４１は、設定火力／設定温度を表示するための８つの火力表示素子（ＬＥＤ）、３桁の数値表示素子（７セグＬＥＤ）、および「加熱」・「揚げ物」・「湯沸」・「残り」・「予熱」の各表示素子（ＬＥＤ）で構成されている。そして、初期／選択／調理モードの何れであるか、また調理の種類が加熱／タイマ加熱／揚げ物／自動湯沸かしの何れであるかを表示し、加熱／タイマ加熱の場合の設定火力、タイマ加熱の場合の残時間、揚げ物の場合の設定温度や予熱の有無、自動湯沸かしの場合の沸騰／保温などを表示する。また、左表示部４１には、設定火力が何れにあるかを分かり易くするための「保温・１・２・３・４・５・６・７」、設定温度が何れにあるかを分かり易くするための「１４０・１６０・１８０・２００」を印刷している。
【００２２】
そして、初期モードのときに、左操作部４２の左メニューキー４４を操作して、調理の種類を加熱／タイマ加熱→揚げ物→自動湯沸かしの順で選択し、加熱／タイマ加熱の場合は、左タイマプラスキー４７または左タイママイナスキー４８で１分〜９時間３０分までのタイマ時間を設定可能とし、左切／スタートキー４３を操作して調理モードへ移行する。
【００２３】
また、調理モードへ移行後も、加熱／タイマ加熱の場合は、左タイマプラスキー４７または左タイママイナスキー４８で残時間を変更し、左火力アップキー４５または左火力ダウンキー４６で設定火力を変更し、揚げ物の場合は、左火力アップキー４５または左火力ダウンキー４６で設定温度を変更することができる。
【００２４】
図３は、前記右操作表示部５の詳細を示している。まず、右加熱部２は、動作モードとして、調理終了の初期モード、調理の種類を選択する選択モード、調理を実行する調理モードの大きく３つのモードに分かれている。さらに、調理の種類として、火力「保温」〜「７」まで８段階の一定火力で加熱する加熱、１分〜９時間３０分まで設定した時間だけ火力「保温」〜「７」まで８段階の一定火力で加熱するタイマ加熱、サーミスタなどの温度センサで検知する温度に基づき火力を自動調節して鍋内の油を１４０℃〜２００℃で１０℃刻みの設定温度に維持する揚げ物、サーミスタなどの温度センサで検知する温度に基づき鍋内の水が沸騰するのを検知するまで高火力で加熱した後に火力を低下させて所定時間だけ保温する自動湯沸かしの４種類を備えている。
【００２５】
そして、図３に示すように、右表示部５１は、設定火力／設定温度を表示するための８つの火力表示素子（ＬＥＤ）、３桁の数値表示素子（７セグＬＥＤ）、および「加熱」・「揚げ物」・「湯沸」・「残り」・「予熱」の各表示素子（ＬＥＤ）で構成されている。そして、初期／選択／調理モードの何れであるか、また調理の種類が加熱／タイマ加熱／揚げ物／自動湯沸かしの何れであるかを表示し、加熱／タイマ加熱の場合の設定火力、タイマ加熱の場合の残時間、揚げ物の場合の設定温度や予熱の有無、自動湯沸かしの場合の沸騰／保温などを表示する。また、右表示部５１には、設定火力が何れにあるかを分かり易くするための「保温・１・２・３・４・５・６・７」、設定温度が何れにあるかを分かり易くするための「１４０・１６０・１８０・２００」を印刷している。
【００２６】
そして、初期モードのときに、右操作部５２の右メニューキー５４を操作して、調理の種類を加熱／タイマ加熱→揚げ物→自動湯沸かしの順で選択し、加熱／タイマ加熱の場合は、右タイマプラスキー５７または右タイママイナスキー５８で１分〜９時間３０分までのタイマ時間を設定可能とし、右切／スタートキー５３を操作して調理モードへ移行する。
【００２７】
また、調理モードへ移行後も、加熱／タイマ加熱の場合は、右タイマプラスキー５７または右タイママイナスキー５８で残時間を変更し、右火力アップキー５５または右火力ダウンキー５６で設定火力を変更し、揚げ物の場合は、右火力アップキー５５または右火力ダウンキー５６で設定温度を変更することができる。
【００２８】
図４は、前記後操作表示部６の詳細を示している。まず、後加熱部３は、動作モードとして、調理終了の初期モード、調理の種類を選択する選択モード、調理を実行する調理モードの大きく３つのモードに分かれている。さらに、調理の種類として、火力「保温」〜「７」まで８段階の一定火力で加熱する加熱、サーミスタなどの温度センサで検知する温度に基づき火力を自動調節して鍋内の油を１４０℃〜２００℃で１０℃刻みの設定温度に維持する揚げ物、サーミスタなどの温度センサで検知する温度に基づき鍋内の水が沸騰するのを検知するまで高火力で加熱した後に火力を低下させて所定時間だけ保温する自動湯沸かしの３種類を備えている。
【００２９】
そして、図４に示すように、後表示部６１は、設定火力／設定温度を表示するための８つの火力表示素子（ＬＥＤ）、および「加熱」・「揚げ物」・「湯沸」・「残り」・「予熱」の各表示素子（ＬＥＤ）で構成されている。そして、初期／選択／調理モードの何れであるか、また調理の種類が加熱／揚げ物／自動湯沸かしの何れであるかを表示し、加熱の場合の設定火力、揚げ物の場合の設定温度や予熱の有無、自動湯沸かしの場合の沸騰／保温などを表示する。また、後表示部６１には、設定火力が何れにあるかを分かり易くするための「保温・１・２・３・４・５・６・７」、設定温度が何れにあるかを分かり易くするための「１４０・１６０・１８０・２００」を印刷している。
【００３０】
そして、初期モードのときに、後操作部６２の後メニューキー６４を操作して、調理の種類を加熱→揚げ物→自動湯沸かしの順で選択し、後切／スタートキー６３を操作して調理モードへ移行する。
【００３１】
また、調理モードへ移行後も、加熱の場合は、後火力アップキー６５または後火力ダウンキー６６で設定火力を変更し、揚げ物の場合は、後火力アップキー６５または後火力ダウンキー６６で設定温度を変更することができる。
【００３２】
以上のように構成された多口加熱調理器について、図５〜図２５を用いて、その動作、作用を説明する。
【００３３】
まず、電源スイッチ７をオフ→オンにすると、左加熱部１、右加熱部２、後加熱部３は、全て初期モードになる。このとき、左表示部４１、右表示部５１、後表示部６１は、全表示素子を消灯する。
【００３４】
次に、各加熱部１〜３における、加熱／タイマ加熱時の表示について説明する。図５は、多口加熱調理器の左加熱部１が加熱時の左表示部４１の表示例である。例えば、左加熱部１が加熱・火力「７」の場合、図５に示すように、左表示部４１で、「加熱」の表示素子を点灯し、設定火力＝火力「７」を示すために、設定火力／設定温度レベルを表示する８つの火力表示素子を全て点灯する。
【００３５】
図６は、多口加熱調理器の右加熱部２がタイマ加熱時の右表示部５１の表示例である。例えば、右加熱部２がタイマ加熱・火力「２」・残時間「３時間」の場合、図６に示すように、右表示部５１で、「加熱」の表示素子を点灯し、設定火力＝火力「２」を示すために、設定火力／設定温度レベルを表示する８つの火力表示素子のうち左から３つ目まで点灯し、「残り」の表示素子を点灯し、３桁の数値表示素子に「３：００」を点灯する。
【００３６】
図７は、多口加熱調理器の後加熱部３が加熱時の後表示部６１の表示例である。例えば、後加熱部３が加熱・火力「５」の場合、図７に示すように、後表示部６１で、「加熱」の表示素子を点灯し、設定火力＝火力「５」を示すために、設定火力／設定温度レベルを表示する８つの火力表示素子のうち左から６つ目まで点灯する。
【００３７】
次に、各加熱部１〜３における、揚げ物時の表示について説明する。図８は、多口加熱調理器の左加熱部１が揚げ物時の左表示部４１の表示例である。例えば、被加熱物である揚げ物を設定温度１８０℃となるように左加熱部１を制御する場合、図８に示すように、左表示部４１で、「揚げ物」の表示素子を点灯し、設定温度１８０℃を示すために、３桁の数値表示素子に「１８０」を点灯し、設定火力／設定温度レベルを表示するため８つの火力表示素子のうち左から４つ目まで点灯し、５つ目を点滅するとともに、「予熱」の表示素子を点滅する。そして、予熱が完了すると、設定火力／設定温度レベルを表示するため８つの火力表示素子のうち左から５つ目を点滅→点灯に変更するとともに、「予熱」の表示素子を消灯する。
【００３８】
図９は、多口加熱調理器の右加熱部２が揚げ物時の右表示部５１の表示例である。例えば、被加熱物である揚げ物を設定温度１７０℃となるように右加熱部２を制御する場合、図９に示すように、右表示部５１で、「揚げ物」の表示素子を点灯し、設定温度１７０℃を示すために、３桁の数値表示素子に「１７０」を点灯し、設定火力／設定温度レベルを表示するため８つの火力表示素子のうち左から３つ目まで点灯し、４つ目を点滅するとともに、「予熱」の表示素子を点滅する。そして、予熱が完了すると、設定火力／設定温度レベルを表示するため８つの火力表示素子のうち左から４つ目を点滅→点灯に変更するとともに、「予熱」の表示素子を消灯する。
【００３９】
図１０は、多口加熱調理器の後加熱部３が揚げ物時の後表示部６１の表示例である。例えば、被加熱物である揚げ物を設定温度１９０℃となるように後加熱部３を制御する場合、図１０に示すように、後表示部６１で、「揚げ物」の表示素子を点灯し、設定温度１９０℃を示すために、設定火力／設定温度レベルを表示するため８つの火力表示素子のうち左から５つ目まで点灯し、６つ目を点滅するとともに、「予熱」の表示素子を点滅する。そして、予熱が完了すると、設定火力／設定温度レベルを表示するため８つの火力表示素子のうち左から６つ目を点滅→点灯に変更するとともに、「予熱」の表示素子を消灯する。
【００４０】
以上の構成により、左加熱部１、右加熱部２、後加熱部３ともに、設定火力／設定温度レベルを表示するため８つの火力表示素子にて設定温度の高低レベルを表示し、かつその表示方法を一致させて加熱部間の表示の整合性を確保するとともに、左加熱部１および右加熱部２では、３桁の数値表示素子にて設定温度を数値で表示して、設定温度に関する視認性を向上することができる。
【００４１】
次に、各加熱部１〜３における、自動湯沸かし時の表示について説明する。図１１は、多口加熱調理器の左加熱部１が自動湯沸かし沸騰工程時の左表示部４１の表示例である。例えば、左加熱部１が自動湯沸かし沸騰工程の場合、図１１に示すように、左表示部４１で、「湯沸」の表示素子のみ点灯する。
【００４２】
図１２は、多口加熱調理器の右加熱部２が自動湯沸かし沸騰工程時の右表示部５１の表示例である。例えば、右加熱部２が自動湯沸かし沸騰工程の場合、図１２に示すように、右表示部５１で、「湯沸」の表示素子のみ点灯する。
【００４３】
図１３は、多口加熱調理器の後加熱部３が自動湯沸かし沸騰工程時の後表示部６１の表示例である。例えば、後加熱部３が自動湯沸かし沸騰工程の場合、図１３に示すように、後表示部６１で、「湯沸」の表示素子のみ点灯する。
【００４４】
図１４は、多口加熱調理器の左加熱部１が自動湯沸かし保温工程時の左表示部４１の表示例である。例えば、左加熱部１が自動湯沸かし保温工程で残時間「５分」の場合、図１４に示すように、左表示部４１で、「湯沸」の表示素子を点灯し、設定火力／設定温度レベルを表示するため８つの火力表示素子のうち一番左のみ点灯し、「残り」の表示素子を点灯し、３桁の数値表示素子に「０：０５」を点灯する。
【００４５】
図１５は、多口加熱調理器の右加熱部２が自動湯沸かし保温工程時の右表示部５１の表示例である。例えば、右加熱部２が自動湯沸かし保温工程で残時間「２分」の場合、図１５に示すように、右表示部５１で、「湯沸」の表示素子を点灯し、設定火力／設定温度レベルを表示するため８つの火力表示素子のうち一番左のみ点灯し、「残り」の表示素子を点灯し、３桁の数値表示素子に「０：０２」を点灯する。
【００４６】
図１６は、多口加熱調理器の後加熱部３が自動湯沸かし保温工程時の後表示部６１の表示例である。例えば、後加熱部３が自動湯沸かし保温工程で残時間「１分」の場合、図１６に示すように、後表示部６１で、「湯沸」の表示素子を点灯し、設定火力／設定温度レベルを表示するため８つの火力表示素子のうち一番左のみ点灯する。
【００４７】
以上のように、加熱部のある特定の状態を、複数の工程を順次行うように制御する状態とし、複数の工程の一部または全部において、数値表示素子を有した左加熱部１、右加熱部２では、複数個の火力表示素子で工程を示す表示を行うとともに数値表示素子で残時間を表示し、数値表示素子を有していない後加熱部３では、複数個の火力表示素子で工程を示す表示のみ行うようにしたものである。これにより、例えば、各加熱部に、加熱する鍋内の水を沸騰させる沸騰工程と、所定時間だけ保温する保温工程を順次行うように制御する機能を備えた構成で前記保温工程を表示する場合、各加熱部で複数個の火力表示素子にて保温工程である旨を表示し、かつその表示方法を一致させて加熱部間の表示の整合性を確保するとともに、数値表示素子を備えた加熱部では、数値表示素子にて保温工程の残時間を数値で表示して、保温工程の残時間に関する視認性を向上することができる。
【００４８】
次に、各加熱部１〜３における、故障／誤使用時の表示について説明する。図１７は、多口加熱調理器の左加熱部１が誤使用時の左表示部４１の表示例である。例えば、左加熱部１が揚げ物時にフィルタ目詰まりを検知した場合、図１７に示すように、左表示部４１で、「揚げ物」の表示素子を点灯し、設定火力／設定温度レベルを表示する８つの火力表示素子のうち一番左と右から２つ目を交互に点滅するとともに、３桁の数値表示素子に「Ｕ０４」を点灯する。
【００４９】
図１８は、多口加熱調理器の右加熱部２が誤使用時の右表示部５１の表示例である。例えば、右加熱部２が自動湯沸かし時にフィルタ目詰まりを検知した場合、図１８に示すように、右表示部５１で、「湯沸」の表示素子を点灯し、設定火力／設定温度レベルを表示する８つの火力表示素子のうち一番左と右から２つ目を交互に点滅するとともに、３桁の数値表示素子に「Ｕ０４」を点灯する。
【００５０】
図１９は、多口加熱調理器の後加熱部３が誤使用時の後表示部６１の表示例である。例えば、後加熱部３が加熱時にフィルタ目詰まりを検知した場合、図１９に示すように、後表示部６１で、「加熱」の表示素子を点灯し、設定火力／設定温度レベルを表示する８つの火力表示素子のうち一番左と右から２つ目を交互に点滅する。
【００５１】
図２０は、多口加熱調理器の左加熱部１が故障時の左表示部４１の表示例である。例えば、左加熱部１がサーミスタなどの温度センサの断線を検知した場合、図２０に示すように、左表示部４１で、設定火力／設定温度レベルを表示する８つの火力表示素子のうち、左から３つ目のみ点灯→左から３つ目〜４つ目を点灯→左から３つ目〜５つ目を点灯→全部消灯を順次繰り返すとともに、３桁の数値表示素子に「Ｈ０１」を点灯する。
【００５２】
図２１は、多口加熱調理器の右加熱部２が故障時の右表示部５１の表示例である。例えば、右加熱部２がサーミスタなどの温度センサの断線を検知した場合、図２１に示すように、右表示部５１で、設定火力／設定温度レベルを表示する８つの火力表示素子のうち、左から３つ目のみ点灯→左から３つ目〜４つ目を点灯→左から３つ目〜５つ目を点灯→全部消灯を順次繰り返すとともに、３桁の数値表示素子に「Ｈ０２」を点灯する。
【００５３】
図２２は、多口加熱調理器の後加熱部３が故障時の後表示部６１の表示例である。例えば、後加熱部３がサーミスタなどの温度センサの断線を検知した場合、図２２に示すように、後表示部６１で、設定火力／設定温度レベルを表示する８つの火力表示素子のうち、左から３つ目のみ点灯→左から３つ目〜４つ目を点灯→左から３つ目〜５つ目を点灯→全部消灯を順次繰り返す。
【００５４】
以上の構成により、左加熱部１、右加熱部２、後加熱部３ともに、設定火力／設定温度レベルを表示するための８つの火力表示素子にて誤使用／故障状態である旨を表示し、かつその表示方法を一致させて加熱部間の表示の整合性を確保するとともに、左加熱部１および右加熱部２では、３桁の数値表示素子でも誤使用／故障状態である旨を表示して、誤使用／故障状態である旨の表示に関する視認性を向上することができる。
【００５５】
次に、各加熱部１〜３における、テストモード時の表示について説明する。図２３は、多口加熱調理器の左加熱部１がテストモード時の左表示部４１の表示例である。例えば、左加熱部１は、隠し機能として、調理モードを実行した回数（最大２５５回まで）を記憶し、この回数を表示するテストモードを備えて、左操作部４２の左火力アップキー４５および左火力ダウンキー４６を同時に操作しながら電源スイッチ７をオフ→オンにすると前記テストモードに移行するものとする。そして、前記テストモードにて、左加熱部１が調理モードを実行した回数＝１７０回を表示する場合、図２３に示すように、左表示部４１で、設定火力／設定温度レベルを表示する８つの火力表示素子を使用して、１７０を２進（１０１０１０１０Ｂ）で一番左＝ＭＳＢ、一番右＝ＬＳＢとなるように表示するとともに、３桁の数値表示素子に「１７０」を点灯する。
【００５６】
図２４は、多口加熱調理器の右加熱部２がテストモード時の右表示部５１の表示例である。例えば、右加熱部２は、隠し機能として、調理モードを実行した回数（最大２５５回まで）を記憶し、この回数を表示するテストモードを備えて、右操作部５２の右火力アップキー５５および右火力ダウンキー５６を同時に操作しながら電源スイッチ７をオフ→オンにすると前記テストモードに移行するものとする。そして、前記テストモードにて、右加熱部２が調理モードを実行した回数＝８５回を表示する場合、図２４に示すように、右表示部５１で、設定火力／設定温度レベルを表示する８つの火力表示素子を使用して、８５を２進（０１０１０１０１Ｂ）で一番左＝ＭＳＢ、一番右＝ＬＳＢとなるように表示するとともに、３桁の数値表示素子に「８５」を点灯する。
【００５７】
図２５は、多口加熱調理器の後加熱部３がテストモード時の後表示部６１の表示例である。例えば、後加熱部３は、隠し機能として、調理モードを実行した回数（最大２５５回まで）を記憶し、この回数を表示するテストモードを備えて、後操作部６２の後火力アップキー６５および後火力ダウンキー６６を同時に操作しながら電源スイッチ７をオフ→オンにすると前記テストモードに移行するものとする。そして、前記テストモードにて、後加熱部３が調理モードを実行した回数＝２５５回を表示する場合、図２５に示すように、後表示部６１で、設定火力／設定温度レベルを表示する８つの火力表示素子を使用して、２５５を２進（１１１１１１１１Ｂ）で一番左＝ＭＳＢ、一番右＝ＬＳＢとなるように表示する。
【００５８】
以上の構成により、左加熱部１、右加熱部２、後加熱部３ともに、設定火力／設定温度レベルを表示するための８つの火力表示素子にて調理モードを実行した回数を２進表示し、かつその表示方法を一致させて加熱部間の表示の整合性を確保するとともに、左加熱部１および右加熱部２では、３桁の数値表示素子にて調理モードを実行した回数を１０進表示して、数値表示に関する視認性を向上することができる。
【００５９】
なお、実施の形態における、左加熱部１、右加熱部２、後加熱部３は、誘導加熱手段、ラジェントヒーター、ハロゲンヒーターなどの何れで構成しても、加熱可能なものであれば同様の効果を得ることができる。
【００６０】
また、実施の形態では、３つの加熱部（左加熱部１、右加熱部２、後加熱部３）を備えた構成としているが、少なくとも数値表示素子を備えた加熱部を１つと、数値表示素子を備えていない加熱部を１つ備えた構成であれば、同様の効果を得ることができる。
【００６１】
また、実施の形態では、３つの加熱部とも機器の天面に備えた構成としているが、複数の加熱部のうち何れかを魚焼き用グリル加熱部といった機器の天面には備わっていない加熱部で構成しても、同様の効果を得ることができる。
【００６２】
また、実施の形態では、３つの表示部（左表示部４１、右表示部５１、後表示部６１）および操作部（左操作部４２、右操作部５２、後操作部６２）を、ともに機器の天面に備えた構成としているが、複数の表示部または操作部のうちの何れかを機器の天面以外の箇所（例えば、機器の側面）に備えた構成としても、同様の効果を得ることができる。
【産業上の利用可能性】
【００６３】
以上のように、本発明にかかる多口加熱調理器は、数値表示のある加熱部と数値表示のない加熱部をともに備えた多口加熱調理器の表示において、加熱部間の表示の整合性を確保しつつ数値表示のある加熱部の視認性を向上することができるので、一般家庭用キッチンおよび業務用の多口誘導加熱調理器や、ラジェントヒーターやシーズヒーターを加えた多口加熱調理器などの多口加熱調理器全般に適用できる。
【図面の簡単な説明】
【００６４】
【図１】本発明の実施の形態における多口加熱調理器の斜視図
【図２】同多口加熱調理器の左操作表示部の詳細を示す平面図
【図３】同多口加熱調理器の右操作表示部の詳細を示す平面図
【図４】同多口加熱調理器の後操作表示部の詳細を示す平面図
【図５】同多口加熱調理器の左加熱部が加熱時の左表示部の表示例を示す平面図
【図６】同多口加熱調理器の右加熱部がタイマ加熱時の右表示部の表示例を示す平面図
【図７】同多口加熱調理器の後加熱部が加熱時の後表示部の表示例を示す平面図
【図８】同多口加熱調理器の左加熱部が揚げ物時の左表示部の表示例を示す平面図
【図９】同多口加熱調理器の右加熱部が揚げ物時の右表示部の表示例を示す平面図
【図１０】同多口加熱調理器の後加熱部が揚げ物時の後表示部の表示例を示す平面図
【図１１】同多口加熱調理器の左加熱部が自動湯沸かし沸騰工程時の左表示部の表示例を示す平面図
【図１２】同多口加熱調理器の右加熱部が自動湯沸かし沸騰工程時の右表示部の表示例を示す平面図
【図１３】同多口加熱調理器の後加熱部が自動湯沸かし沸騰工程時の後表示部の表示例を示す平面図
【図１４】同多口加熱調理器の左加熱部が自動湯沸かし保温工程時の左表示部の表示例を示す平面図
【図１５】同多口加熱調理器の右加熱部が自動湯沸かし保温工程時の右表示部の表示例を示す平面図
【図１６】同多口加熱調理器の後加熱部が自動湯沸かし保温工程時の後表示部の表示例を示す平面図
【図１７】同多口加熱調理器の左加熱部が誤使用時の左表示部の表示例を示す平面図
【図１８】同多口加熱調理器の右加熱部が誤使用時の右表示部の表示例を示す平面図
【図１９】同多口加熱調理器の後加熱部が誤使用時の後表示部の表示例を示す平面図
【図２０】同多口加熱調理器の左加熱部が故障時の左表示部の表示例を示す平面図
【図２１】同多口加熱調理器の右加熱部が故障時の右表示部の表示例を示す平面図
【図２２】同多口加熱調理器の多口加熱調理器の後加熱部が故障時の後表示部の表示例を示す平面図
【図２３】同多口加熱調理器の左加熱部がテストモード時の左表示部の表示例を示す平面図
【図２４】同多口加熱調理器の右加熱部がテストモード時の右表示部の表示例を示す平面図
【図２５】同多口加熱調理器の後加熱部がテストモード時の後表示部の表示例を示す平面図
【符号の説明】
【００６５】
１  左加熱部
２  右加熱部
３  後加熱部
４  左操作表示部
５  右操作表示部
６  後操作表示部
４１  左表示部
４２  左操作部
５１  右表示部
５２  右操作部
６１  後表示部
６２  後操作部
【図１】
0005003435.tif 000002
【図２】
0005003435.tif 000003
【図３】
0005003435.tif 000004
【図４】
0005003435.tif 000005
【図５】
0005003435.tif 000006
【図６】
0005003435.tif 000007
【図７】
0005003435.tif 000008
【図８】
0005003435.tif 000009
【図９】
0005003435.tif 000010
【図１０】
0005003435.tif 000011
【図１１】
0005003435.tif 000012
【図１２】
0005003435.tif 000013
【図１３】
0005003435.tif 000014
【図１４】
0005003435.tif 000015
【図１５】
0005003435.tif 000016
【図１６】
0005003435.tif 000017
【図１７】
0005003435.tif 000018
【図１８】
0005003435.tif 000019
【図１９】
0005003435.tif 000020
【図２０】
0005003435.tif 000021
【図２１】
0005003435.tif 000022
【図２２】
0005003435.tif 000023
【図２３】
0005003435.tif 000024
【図２４】
0005003435.tif 000025
【図２５】
0005003435.tif 000026